【手続補正書】
【提出日】平成17年6月17日(2005.6.17)
【手続補正１】
【補正対象書類名】明細書
【補正対象項目名】全文
【補正方法】変更
【補正の内容】
【発明の詳細な説明】
【発明の名称】ペットボトルのストロー付キャップ
【技術分野】
【０００１】    この発明は、ペットボトルのキャップに設けたストローに関する。
【背景技術】
【０００２】    従来、寝たきり老人や病人等が喉の乾きや発熱等の水分補給、投薬時の飲み水やお茶等を飲む場合、今だに楽飲みといわれている飲み口のついたガラス製の容器が使用されているが、寝たまま手を伸ばして取る時、誤って転倒させて内容物をこぼしやすく、また手に持ったとしても、飲むときは少しの手の振れで口にくわえる前にこぼしたり、またくわえても必要以上に多く出て咽ぶ場合もあり不都合であった。【０００３】    従来の技術としては実公昭５５−０３８２８１号可とう性ストロー付容器や特開２００１−３５４２６０号ペットボトル用のストロー付き吸口キャップで寝たままでこぼさずに飲めると言う技術開示がある。
【発明の開示】
【発明が解決しょうとする課題】
【０００４】本発明は如何なる姿勢でも、ペットボトルの内溶物をこぼさずに飲むことができるペットボトルのキャップを提供することを目的とする。
【０００５】  上記実公の技術ではストローの先端部を収納する場合先端部を指先で摘み容器に設けた窪みに挿入する必要があり不衛生で面倒であり、寝たままの操作は相当の注意を要する。また特開の技術の場合は蓋の都度吸い口のストローを取り外す必要があり、何れの技術もストローの先端部が容器の底部まで届いているがこれでは寝たまま飲むにはストローの先端部が常に飲み物に水没する必要があり内容物が減少した場合頭を回転しなければ飲めないので不都合である。
【課題を解決する手段】
【０００６】    この発明は上記の課題を解決するために、上部に挟着体２と底部に受板３を設けたキャップ本体１の頂部に２本の蛇腹付ストロー４の一端５をそれぞれ挿通固着し前記蛇腹部を任意の方向に曲折して、外キャップ６にてストローの他端部７を挟着体２とでキャップ全体を収容し受板３で封鎖する手段を講じたものである。
【発明の効果】
【０００７】  本発明はペットボトルのキャプに関するものでペットボトルのキャップはペットボトルのサイズ、メーカーが異なっても特種なものを除きほぼ共通であるので各種のペットボトルおよび５００ｍｍリットル２５０ｍｍリットル等ペットボトルの大きさに関係なく使用できる、
【０００８】  外キャップによりストロー等キャップ本体を密着閉鎖するので埃等を防ぎ衛生的でまた洗浄でき繰り返し使用できるので経済的である。
【０００９】  ペットボトルの交換や洗浄に際して本発明のキャップの着脱や保存にも外キャップ内に全体が収まっており、ペットボトルの底部までの長いストローを使用している他の発明品に比べて大変便利である。
【００１０】  従来の容器では寝たまま手を伸ばして取るとき、誤って転倒させてこぼし易かったが本発明では転倒させてもこぼれることはなく、如何なる姿勢でもこぼさずに飲むことができる。また少しの手の振れで口にくわえる前にこぼしたり、またくわえても必要以上に多く出て咽せることはない。
【００１１】  この発明は上記の解決手段を講じたので従来の飲み口つき容器のように突出した形状はなく、外キャップ内に飲み口も収まっているので衛生的で従来のペットボトルと同様に冷蔵庫のポケットにも入れることができる。
【００１２】  またキャップ本体と外キャップを連結することにより飲み終えた後外キャップを探すことなく直ぐに使用できる。
【発明を実施するための最良の形態】
【００１３】  通常ペットボトルは傾けて飲むのでストローをペットボトルの底部まで届く必要はなく本発明はストローをキャップ本体の頂部までとしているのが特徴でペットボトルの大きさや内容物の多少に関わらず今まで通り傾けて最後まで飲むことができる。【００１４】  以下本発明の実施例を図面に従って説明する。  図１は本発明の外キャップを外した状態の斜視図でペットボトルＡの開口部に設けたネジ式で着脱できるキャップ本体１に挟着体２と受板３を設けており、キャップ本体１の頂部に蛇腹つきストロー４の外周に密着する透孔８を２つ設け、この透孔に２本の蛇腹付きストロー４の一端５をそれぞれ挿通固着する。これによりキャップ本体の頂部に２本の蛇腹つきストローが並立するので蛇腹部にて反対方向に曲折しその長さは受板までとしている、【００１５】  キャップ本体の頂部を肉厚にして透孔８を設けてストロー４の一端を挿通固着を容易にしている。これは透孔８をテーパー状にしており必要に応じてストローの取り替えもできるようにしている。【００１６】  挟着体２の直経よりやや大きめの外キャップ６でキャップ本体１に被せるとストローの蛇腹部が下方に湾曲し左右の２本のストローの他端部７は外キャップ  ６と挟着体２とに挟まれて密閉し受板３にて密着閉鎖するようにしている。【００１７】  外キャップ６は円筒状で内径は挟着体２の直経よりやや大きく左右のストロー４の他端部７を挟着体２とで挟んで通水不能となる程度としている。【００１８】  受板３は２段にしており１段目の直経は外キャップ  ６と嵌合して密閉するようにし、２段目は外キャップの外周より大きくしてのストッパーの役目をしている【００１９】  図６は実施例２で蛇腹付きストロー４の１本にはシリコンチューブＣを挿入している。これにより使用に際して外キャップ６を外すとシリコンチューブＣの復元力により蛇腹部は約１２０度程度の湾曲状態に持ち上がり、他端部７の扁平状部分も復元力により開口状となり通常のストローと同じ状態となるのでくわえてペットボトル傾けて吸えばよく、ストローの蛇腹部により自由の角度に変化できペットボトルを傾け具合により内容物流出を調節できるので寝たままの姿勢でもこぼさずにスムーズに飲むことができる。【００２０】  受板３にキャップ本体１と外キャップ６にそれぞれ連結用の突起状の結合片９を設けて穴１０を開けてこれに連結環で結合する。これによりより飲み終えた後外キャップを探すことなく直ぐに使用できる。またこの結合片はペットボトルに外キャップをしたキャップ本体を着脱するとき外キャップのみの空回りを防ぐ役目も果たしている。
【図面の簡単な説明】
【００２１】
【図１】本発明の外キャップを外した状態の斜視図
【図２】本発明の外キャップの１部を欠除し要部を示す斜視図
【図３】本発明のキャップ本体の断面側面図
【図４】本発明のキャップ本体の平面図
【図５】本発明の外キャップの斜視図
【図６】その他の実施例でストローの１部を欠除したシリコンチューブの使用例を示す斜視図
【図７】その他の実施例の外キャップの斜視図
【符号の説明】
【００２２】      １    キャップ本体      ２    挟着体      ３    受板      ４    ストロー      ５    一端      ６    外キャップ      ７    他端部      ８    透孔      ９    結合片      １０  穴      Ａ    ペットボトル      Ｂ    ネジ山      Ｃ    シリコンチューブ
【手続補正２】
【補正対象書類名】図面
【補正対象項目名】全図
【補正方法】変更
【補正の内容】
【図１】
2005193978.tif 000001
【図２】
2005193978.tif 000002
【図３】
2005193978.tif 000003
【図４】
2005193978.tif 000004
【図５】
2005193978.tif 000005
【図６】
2005193978.tif 000006
【図７】
2005193978.tif 000007